【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)によって第1の無線技術の第1のワイヤレスシステムと通信するステップと、
第2の無線技術の第2のワイヤレスシステムとの接続を確立するためのページを受信するステップであって、前記ページが、ネットワークエンティティによる、前記第1のワイヤレスシステムから前記第2のワイヤレスシステムに前記UEを切り替える決定に応答して、前記第2のワイヤレスシステムによって前記UEに送られ、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、受信するステップと、
前記ページに応答して、前記第2のワイヤレスシステムとの接続を確立するステップと
前記UEが、前記第1のワイヤレスシステムにアクセスするのを、前記第2のワイヤレスシステムとの接続を確立した後に、(i) 前記UEが送ったプローブ要求に肯定応答するためのプローブ応答を受信しないこと、(ii) 前記UEが送った関連付け要求に肯定応答するために関連付け応答を受信しないこと、(iii) 前記UEに送られた関連付け応答において前記第1のワイヤレスシステムでの高負荷の指示を受信しないこと、(iv) 前記UEに関する認証を前記第1のワイヤレスシステムで完了しないこと、または(v) それらの組合せによって、前記第1のワイヤレスシステムにより阻止されていると判断するステップと、
前記UEが前記第1のワイヤレスシステムによりブロックされていると判定したことに応答して、前記第1のワイヤレスシステムとの通信を終了するステップと、
を含む方法。
【請求項２】
前記第2のワイヤレスシステムとの前記接続を確立すると同時に、前記第1のワイヤレスシステムとの通信を続けるステップをさらに含む、請求項1に記載の方法。
【請求項３】
前記第1のワイヤレスシステムとの通信に先立って、前記第1のワイヤレスシステムとの認証手順を実行するステップと、
前記第1のワイヤレスシステムとの前記認証手順の間に、前記第2のワイヤレスシステムに関する前記UEの資格証明を提供するステップであって、前記資格証明が前記UEのUE識別(ID)を含み、前記ページが前記UEの前記UE IDに基づいて前記UEに送られる、提供するステップと
さらに含む、請求項1に記載の方法。
【請求項４】
前記UEを切り替えるための前記決定が、前記UEに関して前記第1のワイヤレスシステムによって取得された少なくとも1つの第1のユーザ基準、もしくは前記UEに関して前記第2のワイヤレスシステムによって取得された少なくとも1つの第2のユーザ基準、または両方に基づく、請求項1に記載の方法。
【請求項５】
前記UEを切り替えるための前記決定が、前記第1のワイヤレスシステムに関する少なくとも1つの第1のシステム基準、もしくは前記第2のワイヤレスシステムに関する少なくとも1つの第2のシステム基準、または両方に基づく、請求項1に記載の方法。
【請求項６】
前記第1のワイヤレスシステムがワイヤレスローカルエリアネットワーク(WLAN)システムを含み、前記第2のワイヤレスシステムがセルラーシステムを含む、請求項1に記載の方法。
【請求項７】
前記第1および第2のワイヤレスシステムが、前記第1および第2のワイヤレスシステムに関する少なくとも1つの制御機能を実行するように設計されたスモールセルの一部である、請求項1に記載の方法。
【請求項８】
ワイヤレス通信のための装置であって、
ユーザ機器(UE)によって第1の無線技術の第1のワイヤレスシステムと通信するための手段と、
第2の無線技術の第2のワイヤレスシステムとの接続を確立するためのページを受信するための手段であって、前記ページが、ネットワークエンティティによる、前記第1のワイヤレス
システムから前記第2のワイヤレスシステムに前記UEを切り替える決定に応答して、前記第2のワイヤレスシステムによって前記UEに送られ、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、手段と、
前記ページに応答して、前記第2のワイヤレスシステムとの接続を確立するための手段と、
前記UEが、前記第1のワイヤレスシステムにアクセスするのを、前記第2のワイヤレスシステムとの接続を確立した後に、(i) 前記UEが送ったプローブ要求に肯定応答するためのプローブ応答を受信しないこと、(ii) 前記UEが送った関連付け要求に肯定応答するために関連付け応答を受信しないこと、(iii) 前記UEに送られた関連付け応答において前記第1のワイヤレスシステムでの高負荷の指示を受信しないこと、(iv) 前記UEに関する認証を前記第1のワイヤレスシステムで完了しないこと、または(v) それらの組合せによって、前記第1のワイヤレスシステムにより阻止されていると判断するための手段と、
前記UEが前記第1のワイヤレスシステムによりブロックされていると判定したことに応答して、前記第1のワイヤレスシステムとの通信を終了するための手段と、
を備える、装置。
【請求項９】
ワイヤレス通信のための方法であって、
第1の無線技術の第1のワイヤレスシステムと通信するユーザ機器(UE)の指示を受信するステップと、
ネットワークエンティティにより、前記第1のワイヤレスシステムから第2の無線技術の第2のワイヤレスシステムに前記UEを切り替える決定を行うステップであって、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、ステップと、
前記ネットワークエンティティから前記第2のワイヤレスシステムに、前記第2のワイヤレスシステムに前記UEを切り替えるための第1のメッセージを送信するステップであって、前記UEが、前記第1のメッセージに応答して、前記第2のワイヤレスシステムとの接続を確立するように前記第2のワイヤレスシステムによってページングされる、ステップと、
前記UEが前記第2のワイヤレスシステムとの前記接続を確立したことを示す第2のメッセージを前記第2のワイヤレスシステムから受信するステップと、
前記第2のワイヤレスシステムとの接続を確立した後に、(i) 前記UEから受信したプローブ要求に肯定応答するためのプローブ応答を送らないこと、(ii) 前記UEから受信した関連付け要求に肯定応答するために関連付け応答を送らないこと、(iii) 前記UEから受信された関連付け応答において前記第1のワイヤレスシステムでの高負荷の指示を送信しないこと、(iv) 前記UEに関する認証を前記第1のワイヤレスシステムで完了しないこと、または(v) それらの組合せによって、前記UEを阻止し、前記UEとの通信を終了するように前記第1のワイヤレスシステムに指示するための第3のメッセージを前記ネットワークエンティティから前記第1のワイヤレスシステムに送信するステップであって、前記第3のメッセージが、前記第2のメッセージを受信した後、前記ネットワークエンティティによって送られる、ステップと
を含む、方法。
【請求項１０】
ワイヤレス通信のための装置であって、
第1の無線技術の第1のワイヤレスシステムと通信するユーザ機器(UE)の指示を受信するための手段と、
ネットワークエンティティにより、前記第1のワイヤレスシステムから第2の無線技術の第2のワイヤレスシステムに前記UEを切り替える決定を行うための手段であって、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、手段と、
前記ネットワークエンティティから前記第2のワイヤレスシステムに、前記第2のワイヤレスシステムに前記UEを切り替えるための第1のメッセージを送信するための手段であって、前記UEが、前記第1のメッセージに応答して、前記第2のワイヤレスシステムとの接続を確立するように前記第2のワイヤレスシステムによってページングされる、手段と、
前記UEが前記第2のワイヤレスシステムとの前記接続を確立したことを示す第2のメッセージを前記第2のワイヤレスシステムから受信するための手段と、
前記第2のワイヤレスシステムとの接続を確立した後に、(i) 前記UEから受信したプローブ要求に肯定応答するためのプローブ応答を送らないこと、(ii) 前記UEから受信した関連付け要求に肯定応答するために関連付け応答を送らないこと、(iii) 前記UEから受信された関連付け応答において前記第1のワイヤレスシステムでの高負荷の指示を送信しないこと、(iv) 前記UEに関する認証を前記第1のワイヤレスシステムで完了しないこと、または(v) それらの組合せによって、前記UEを阻止し、前記UEとの通信を終了するように前記第1のワイヤレスシステムに指示するための第3のメッセージを前記ネットワークエンティティから前記第1のワイヤレスシステムに送信するための手段であって、前記第3のメッセージが、前記第2のメッセージを受信した後、前記ネットワークエンティティによって送られる、手段と
を備える、装置。
【請求項１１】
ワイヤレス通信のための方法であって、
ネットワークエンティティから、ユーザ機器(UE)を第1の無線技術の第1のワイヤレスシステムから第2の無線技術の第2のワイヤレスシステムに切り替えるための第1のメッセージを受信するステップであって、切り替えるための決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、ステップと、
前記第2のワイヤレスシステムとの接続を確立するように前記UEをトリガするためのページを前記UEに送るステップであって、前記ページが、前記第1のメッセージに応答して、前記UEに送られる、ステップと、
前記UEが前記第2のワイヤレスシステムとの前記接続を確立したことを示し、前記UEが前記第1のワイヤレスシステムにアクセスするのを、前記第2のワイヤレスシステムとの接続を確立した後に、(i) 前記UEが送ったプローブ要求に肯定応答するためのプローブ応答を受信しないこと、(ii) 前記UEが送った関連付け要求に肯定応答するために関連付け応答を受信しないこと、(iii) 前記UEに送られた関連付け応答において前記第1のワイヤレスシステムでの高負荷の指示を受信しないこと、(iv) 前記UEに関する認証を前記第1のワイヤレスシステムで完了しないこと、または(v) それらの組合せによって、前記第1のワイヤレスシステムにより阻止されていることを示し、前記第1のワイヤレスシステムが、前記UEが前記第2のワイヤレスシステムとの前記接続の確立を完了した後、前記UEとの通信を終了したことを示す、第2のメッセージを前記ネットワークエンティティに送信するステップと、
を含む、方法。
【請求項１２】
ワイヤレス通信のための装置であって、
ネットワークエンティティから、ユーザ機器(UE)を第1の無線技術の第1のワイヤレスシステムから第2の無線技術の第2のワイヤレスシステムに切り替えるための第1のメッセージを受信するための手段であって、切り替えるための決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、手段と、
前記第2のワイヤレスシステムとの接続を確立するように前記UEをトリガするためのページを前記UEに送るための手段であって、前記ページが、前記第1のメッセージに応答して、前記UEに送られる、手段と、
前記UEが前記第2のワイヤレスシステムとの前記接続を確立したことを示し、前記UEが前記第1のワイヤレスシステムにアクセスするのを、前記第2のワイヤレスシステムとの接続を確立した後に、(i) 前記UEが送ったプローブ要求に肯定応答するためのプローブ応答を受信しないこと、(ii) 前記UEが送った関連付け要求に肯定応答するために関連付け応答を受信しないこと、(iii) 前記UEに送られた関連付け応答において前記第1のワイヤレスシステムでの高負荷の指示を受信しないこと、(iv) 前記UEに関する認証を前記第1のワイヤレスシステムで完了しないこと、または(v) それらの組合せによって、前記第1のワイヤレスシステムにより阻止されていることを示し、前記第1のワイヤレスシステムが、前記UEが前記第2のワイヤレスシステムとの前記接続の確立を完了した後、前記UEとの通信を終了したことを示す、第2のメッセージを前記ネットワークエンティティに送信するための手段と、
を備える、装置。
【請求項１３】
ワイヤレス通信のための方法であって、
第1の無線技術の第1のワイヤレスシステムにおいてアクセスポイントによりユーザ機器(UE)と通信するステップであって、ネットワークエンティティが、前記第1のワイヤレスシステムから第2の無線技術の第2のワイヤレスシステムに前記UEを切り替える決定を行い、前記UEが、前記決定に応答して、前記第2のワイヤレスシステムとの接続を確立するように前記第2のワイヤレスシステムによってページングされ、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、ステップと、
前記UEが前記第1のワイヤレスシステムにアクセスするのを、前記第2のワイヤレスシステムとの接続を確立した後に、(i) 前記UEから受信したプローブ要求に肯定応答するためのプローブ応答を送らないこと、(ii) 前記UEから受信した関連付け要求に肯定応答するために関連付け応答を送らないこと、(iii) 前記UEから受信された関連付け応答において前記第1のワイヤレスシステムでの高負荷の指示を送信しないこと、(iv) 前記UEに関する認証を前記第1のワイヤレスシステムで完了しないこと、または(v) それらの組合せによって、前記第1のワイヤレスシステムにより阻止し、前記UEとの通信を終了するためのメッセージを前記ネットワークエンティティから受信するステップであって、前記メッセージは、前記UEが前記第2のワイヤレスシステムとの前記接続の確立を完了した後、前記ネットワークエンティティにより送信される、ステップと、
前記UEが前記第1のワイヤレスシステムにアクセスするのを阻止し、前記メッセージに応答して前記アクセスポイントにより前記UEとの通信を終了するステップと、
を含む、方法。
【請求項１４】
ワイヤレス通信のための装置であって、
第1の無線技術の第1のワイヤレスシステムにおいてアクセスポイントによりユーザ機器(UE)と通信するための手段であって、ネットワークエンティティが、前記第1のワイヤレスシステムから第2の無線技術の第2のワイヤレスシステムに前記UEを切り替える決定を行い、前記UEが、前記決定に応答して、前記第2のワイヤレスシステムとの接続を確立するように前記第2のワイヤレスシステムによってページングされ、前記決定が、前記第2のワイヤレスシステム上の負荷に対する前記第1のワイヤレスシステム上の負荷、もしくは前記第2のワイヤレスシステムに関するチャネル品質に対する前記第1のワイヤレスシステムに関するチャネル品質、もしくは前記第2のワイヤレスシステムに関する前記UE用のデータレートに対する前記第1のワイヤレスシステムに関する前記UE用のデータレート、またはそれらの任意の組合せに基づく、手段と、
前記UEが前記第1のワイヤレスシステムにアクセスするのを、前記第2のワイヤレスシステムとの接続を確立した後に、(i) 前記UEから受信したプローブ要求に肯定応答するためのプローブ応答を送らないこと、(ii) 前記UEから受信した関連付け要求に肯定応答するために関連付け応答を送らないこと、(iii) 前記UEから受信された関連付け応答において前記第1のワイヤレスシステムでの高負荷の指示を送信しないこと、(iv) 前記UEに関する認証を前記第1のワイヤレスシステムで完了しないこと、または(v) それらの組合せによって、前記第1のワイヤレスシステムにより阻止し、前記UEとの通信を終了するためのメッセージを前記ネットワークエンティティから受信するための手段であって、前記メッセージは、前記UEが前記第2のワイヤレスシステムとの前記接続の確立を完了した後、前記ネットワークエンティティにより送信される、手段と、
前記UEが前記第1のワイヤレスシステムにアクセスするのを阻止し、前記メッセージに応答して前記アクセスポイントにより前記UEとの通信を終了するための手段と、
を含む、装置。
【請求項１５】
請求項1、9、11、および13の何れか1項に記載の方法を少なくとも1つのプロセッサに実施させるためのコードを含む、コンピュータプログラム。